(57)【要約】      （修正有）【課題】スイッチ操作の際の面倒がなく、従って操作性がよく、しかも悪戯に強いエレベータ用運転操作盤を提供する。【解決手段】エレベータの運転・休止を切替えるスイッチ７と、このスイッチが収められた開口部２を有する収容部３と、上記開口部を覆うフェースプレート６とを備えたエレベータ用運転操作盤において、上記スイッチの操作部材７１を上記フェースプレートの背面部に近接して設けると共に、上記フェースプレートの端面部所定部から該フェースプレートの背面部に沿う挿入部６２を設け、この挿入部から操作キーを差し込んで上記スイッチの操作部材を操作するように構成した。【選択図】図２
2006225107.tif 000002
【特許請求の範囲】
【請求項１】
エレベータの運転・休止を切替えるスイッチと、このスイッチが収められた開口部を有する収容部と、上記開口部を覆うフェースプレートとを備えたエレベータ用運転操作盤において、上記スイッチの操作部材を上記フェースプレートの背面部に近接して設けると共に、上記フェースプレートの端面部所定部から該フェースプレートの背面部に沿う挿入部を設け、この挿入部から操作キーを差し込んで上記スイッチの操作部材を操作するようにしてなることを特徴とするエレベータ用運転操作盤。
【請求項２】
上記挿入部は、上記フェースプレートの背面部における下端部に溝状に凹設されてなることを特徴とする請求項１に記載のエレベータ用運転操作盤。
【請求項３】
上記スイッチの操作部材は、スイッチ本体から突設されたレバーからなり、上記操作キーは、挿入方向先端部に上記レバーに係合する係合部が形成された板状体からなることを特徴とする請求項１または請求項２に記載のエレベータ用運転操作盤。
【請求項４】
上記係合部は、挿入方向に対して斜めに形成されていることを特徴とする請求項３に記載のエレベータ用運転操作盤。
【請求項５】
上記フェースプレートに設けられた表示窓と、上記スイッチに連動して現在の状態を上記表示窓に表示する表示部材を備えてなることを特徴とする請求項１ないし請求項４の何れかに記載のエレベータ用運転操作盤。
【発明の詳細な説明】
【技術分野】
【０００１】
この発明は、エレベータの例えば乗場などに設けられる運転操作盤に関し、特に悪戯防止に有効なエレベータ用運転操作盤に関する。
【背景技術】
【０００２】
従来のエレベータ用運転操作盤としては、フェースプレートより小さな乗場側の開口部とフェースプレートより大きな塔内側の開口部の２段階の広さの開口部を設けた乗場壁の穴と、フェースプレートを乗場壁に固着させる取付け穴と、フェースプレートの対向面に設けられる着脱可能なカバーと、乗場壁と同一面に固着可能で着脱可能な隠蔽カバーを備えたものがある（例えば特許文献１参照。）。
【０００３】
【特許文献１】特開平１１−２２４５５４号公報（第１頁、図１）
【発明の開示】
【発明が解決しようとする課題】
【０００４】
上記のような従来のエレベータ用運転操作盤においては、こじ開けによるフェースプレートの彎曲や工具で意匠面を傷める恐れがなく、高度な寸法精度や特殊で高価な部品を使用する必要もなくし、また隠蔽カバーは乗場壁と同一面に固着可能で着脱可能であり意匠性も良くなるという利点があるものの、遮蔽カバーを取り付けた場合には、スイッチ操作の度にいちいち遮蔽カバーを取り外さなければならないので操作が面倒であり、また遮蔽カバーを取り付けない場合には、キースイッチの穴が見えているので、異物が詰め込まれるなどの悪戯に対応することが困難であるという課題があった。
【０００５】
この発明は上記のような従来技術の課題を解消するためになされたもので、スイッチ操作の際の面倒がなく、従って操作性がよく、しかも悪戯に強いエレベータ用運転操作盤を提供することを目的としている。
【課題を解決するための手段】
【０００６】
この発明によるエレベータ用運転操作盤は、エレベータの運転・休止を切替えるスイッチと、このスイッチが収められた開口部を有する収容部と、上記開口部を覆うフェースプレートとを備えたエレベータ用運転操作盤において、上記スイッチの操作部材を上記フェースプレートの背面部に近接して設けると共に、上記フェースプレートの端面部所定部から該フェースプレートの背面部に沿う挿入部を設け、この挿入部から操作キーを差し込んで上記スイッチの操作部材を操作するようにしてなるものである。
【発明の効果】
【０００７】
この発明においては、フェースプレートの表面にスイッチを操作するための操作キーの挿入孔が露出されておらず、フェースプレートを装着した状態でスイッチ操作を行なうことができるので、スイッチ操作の際の面倒がなく、従って操作性がよく、しかも正面から見えない位置に操作キーの挿入部を設けたので、悪戯に対して強いエレベータ用運転操作盤が得られる。
【発明を実施するための最良の形態】
【０００８】
実施の形態１．
図１〜図５はこの発明の実施の形態１によるエレベータ用運転操作盤の要部を説明する図であり、図１はスイッチＯＮ時の正面図、図２は図１の略ＩＩ−ＩＩ線における矢視断面図、図３はスイッチ操作用の操作キーを示す斜視図、図４は操作キーを挿入した状態を示す正面図、図５は挿入した操作キーでスイッチをＯＦＦに切替えた状態を示す正面図である。図において、エレベータ用運転操作盤１は、前面に開口部２を有し、収容部３を形成しているボックス４と、開口部２を塞ぐように設けられ、中央部に呼びボタン５が装置されたフェースプレート６と、このフェースプレート６の背面部に操作部材７１が近接するように設けられたエレベータの運転・停止を切替えるスイッチ７とを備え、フェースプレート６の背面部には下端面６１から操作キー８を挿入するための溝状の挿入部６２が形成されている。該挿入部６２は、図２に示すようにフェースプレート６の背面下端部を該フェースプレート６の厚みの略半分程度溝状に凹ませた形状に例えばザグリ加工、樹脂成形などで凹設形成されている。なお、９はフェースプレート６をボックス４に固定するためのねじである。
【０００９】
なお、スイッチ７は、ここではスライド式のスイッチが用いられており、図２の左方向に突設されたレバーなどの操作部材７１を図１の例えば右方向にスライドさせたときにＯＮ、左方向にスライドさせたときにＯＦＦするように構成されており、図１はＯＮの状態であるものとする。スイッチ７に接続されたリード線１０はコネクタ１１を介して図示しないエレベータの操作盤に接続されている。また、操作キー８は図３に示すように長方形の板の一端部を切り欠いた形状であり、該切り欠いた部分が挿入方向先端部で、上記スイッチ７の操作部材７１に係合する係合部８１、当接部８２を形成している。なお、６２ａ、６２ｂは挿入部６２の角部、１２は乗場の壁を示し、呼びボタン５の配線などは図示を省略している。また、各図を通じて同一符号は同一もしくは相当部分を示すものとする。
【００１０】
次に、上記のように構成された実施の形態１の動作について説明する。通常時は図１に示すように、中央部に呼びボタン５が設けられ、壁１２に対してボックス４、ねじ９などを介して止められた、正面から見て鍵穴のないフェースプレート６が見えるだけで、挿入部６２の存在は一見して知ることができない。点検等のため、管理者がエレベータの運転を止めるときは、フェースプレート６の下端面６１から背面部に設けた挿入部６２に専用の操作キー８を、図４に示すように該操作キー８の先端切り欠き部を左にして係合部８１が左側になるように、スイッチ７の操作部材７１の右側に矢印Ａの方向に当接部８２が操作部材７１の下部に当たるまで挿入する。図４は挿入が完了した状態を示している。
【００１１】
次に、図５に示すように、挿入した専用の操作キー８の先端部を矢印Ｂの方向に移動ないしは回動させ、スイッチ７の操作部材７１を図の左方向に移動させる。このとき、フェースプレート６の挿入部６２の右側の角部６２ａを支点にして、操作キー８の下部を図の右方向（反時計方向）に回動させることで、小さな力でスイッチ７の操作部材７１を左側に移動させることができる。図５は移動が完了した状態を示している。なお、スイッチ７の操作部材７１を元の位置（図４の状態）に戻す場合は、専用の操作キー８を１８０度回転させ、即ち裏返して係合部８１が図の右側になるようにし、スイッチ７の操作部材７１の左側に挿入する。そして、操作キー８を挿入部６２の図の左側の角部６２ｂを支点に時計方向に回動させることにより、容易に元の位置に戻すことができる。
【００１２】
上記のように、この実施の形態１によれば、エレベータの運転・停止を切り換えるスイッチ７の操作部材７１が収容部３におけるフェースプレート６の背面部に位置するように設けると共に、フェースプレート６と収容部３との間に該フェースプレート６の背面部下端面６１から該フェースプレートに沿う挿入部６２を設け、この挿入部６２から操作キー８を差し込んで上記スイッチ７の操作部材７１を操作するようにしたことにより、フェースプレート６の正面には鍵穴が不要となり、フェースプレート６の下端面６１という直接見えない位置に挿入部６２を設けたので、悪戯を効果的に防ぐことができる。また、意匠上の美観を損ねる心配もない。
【００１３】
実施の形態２．
図６及び図７はこの発明の実施の形態２によるエレベータ用運転操作盤を説明するもので、図６（ａ）はスイッチがＯＮされた状態を透視して示す要部正面図、図６（ｂ）はスイッチがＯＦＦされた状態を透視して示す要部正面図、図７はスライド形式のスイッチとフェースプレートの位置関係を示す要部側面断面図である。図において、この実施の形態２では専用の操作キー８は、図６中に示すように長方形の板材の一端部が斜めに切除された形状で、斜めの部分を係合部８１としたものである。
【００１４】
スイッチ７をＯＮするときは、操作キー８は図６（ａ）に示すように、係合部８１が左上から右下に斜めになる向きに挿入され、その動作に対応させて挿入時の表面側に「運転」の文字８３が表示されており、反対に、スイッチ７をＯＦＦするときは、操作キー８は図６（ｂ）に示すように裏返して挿入され、その動作に対応させて挿入時の表面側、即ち、図６（ａ）の裏側に「休止」の文字８４が表示されている。
【００１５】
また、スイッチ７の操作部材７１は、図の下端部が正面から見て略Ｖ字形に形成されたツマミ状をなしており、スイッチ７本体の開口部７２から突出されている。なお、正面から見て７１ａは左側の斜面部、７１ｂは右側の斜面部を示す。上記スイッチ７は、図７に示すように操作部材７１の先端部がフェースプレート６に凹設された挿入部６２に進入するようにフェースプレート６の背面部でボックス４に対して図示しない固定手段によって固定されている。その他の構成は上記実施の形態１と同様であるので説明を省略する。
【００１６】
次に動作について説明する。図６（ａ）に示すように、操作キー８を「運転」の文字８３が表示されている部分が表側となるようにフェースプレート６の挿入部６２に挿入すると、操作キー８の傾斜切り欠き部からなる係合部８１が操作部材７１の左側の斜面部７１ａに当接し、矢印Ａで示す上方向にさらに押し込むと操作部材７１が係合部８１に沿って、矢印Ｃで示す右方向に移動し、スイッチ７がＯＮされて、エレベータが「運転」状態となる。なお、図６（ａ）は操作キー８の押し込みが完了してスイッチ７がＯＮになった状態を示す。休止状態にするには、操作キー８の「休止」の文字８４が表示されている面を手前にして押し込むことにより、図６（ｂ）に示すように、スイッチ７をＯＦＦ状態にすることができる。
【００１７】
上記の様に、実施の形態２によれば、係合部８１が操作キー８の挿入方向に傾斜して形成されているので、軽い操作力で切替えができる。また、上方に真直ぐ押し込むだけでスイッチの切替えができるので、操作が簡単である。また、スイッチ動作に対応させて操作キー８の表面及び裏面に「運転」の文字８３と、「休止」の文字８４が表示されているので、操作の際にまごつくことがないという効果が得られる。
【００１８】
実施の形態３．
図８〜図１１はこの発明の実施の形態３によるエレベータ用運転操作盤を説明する図であり、図８（ａ）はスイッチをＯＮにしたときの状態を透視して示す要部正面図、図８（ｂ）はスイッチをＯＦＦにしたときの状態を透視して示す要部正面図、図９（ａ）は図８（ａ）のＩＸａ−ＩＸａ線における矢視断面図、図９（ｂ）は図８（ａ）のＩＸｂ−ＩＸｂ線における矢視断面図、図９（ｃ）は図８（ａ）のＩＸｃ−ＩＸｃ線における矢視断面図、図１０（ａ）は図８のスイッチがＯＮのときの状態を示す正面図、図１０（ｂ）はその底面図、図１１（ａ）はスイッチ位置が「運転」（ＯＮ）のときのフェースプレート部の外観を示す正面図、図１１（ｂ）はスイッチ位置が「休止」（ＯＦＦ）のときのフェースプレート部の外観を示す正面図である。
【００１９】
この実施の形態３は、上記実施の形態２に示す操作キー及びスイッチ操作機構に、現在のスイッチの投入状態を示す表示機構を付加したものである。図において、スイッチ７の操作部材７１の上部には、スライド方向（図の左右方向）の中央部表面を黒色に着色した第１の領域７３ａと、その左右両側部を何れも白色に着色した第２の領域７３ｂ、７３ｂを有するブロック状の表示部材７３が該操作部材７１と一体的に設けられており、操作部材７１を左右方向にスライドさせると、表示部材７３も同時に左右方向に移動するように構成されている。
【００２０】
一方、フェースプレート６における上記スイッチ７の表示部材７３に対応する位置には、貫通孔からなる表示窓としての休止表示窓６４及び表示窓としての運転表示窓６５が左右方向に並ぶように設けられ、休止表示窓６４の左方には「休止」の文字６４ａが、運転表示窓６５の右方には「運転」の文字６５ａが印刷、エッチングなどの方法でそれぞれ表示され、フェースプレート６の前方から表示部材７３の着色された第１の領域７３ａ、及び第２の領域７３ｂが、それぞれの窓６４、６５を通して見えるようになっている。なお、Ｄは操作部材７１の動作範囲の中心線を示す。その他の構成は上記実施の形態２と同様であるので説明を省略する。
【００２１】
次に上記のように構成された実施の形態３の動作について説明する。先ず、スイッチ７がＯＮのとき、図１０に示すように中心線Ｄに対し、左側が白色に着色された第２の領域７３ｂ、右側が黒色に着色された第１の領域７３ａとなっているので、フェースプレート６の休止表示窓６４には第２の領域７３ｂの白色が表示され、運転表示窓６５には第１の領域７３ａの黒色が表示され（図８（ａ）、図１１（ａ）の状態）、スイッチ７が「運転」の状態であることが明示されている。
【００２２】
一方、点検等のためエレベータを休止させるときに実施の形態２と同様にして操作キー８を裏返しにして図８（ｂ）のように挿入部６２から差し込み、スイッチ７の操作部材７１を図の左方向にスライドさせると、表示部材７３も同時に左に移動し、操作部材７１の動作範囲の中心線Ｄに対し、左側が第１の領域７３ａの黒色、右側が第２の領域７３ｂの白色となるので、フェースプレート６の表示窓は図１１（ｂ）のように、休止表示窓６４には第１の領域７３ａの黒色が表示され、運転表示窓６５には第２の領域７３ｂの白色が表示され、スイッチ７が「休止」の状態であることが明示される。
【００２３】
上記のように実施の形態３によれば、上記実施の形態２と同様、フェースプレート６の表面に操作キー穴が見えないので悪戯に強く、専用の操作キー８を挿入部６２から押し込むだけでスイッチ７が切り替わるので、操作が簡単で、フェースプレート６を外す必要もなく、しかもスイッチが「運転」または「休止」の何れの側に入っているかがフェースプレート６の正面から容易に認識できるので、スイッチ操作に戸惑うことが防止できるなどの効果が得られる。なお、上記貫通孔からなる休止表示窓６４及び運転表示窓６５は、貫通孔の状態でも良いが、例えばアクリル樹脂などの透明材料を該貫通孔に埋め込むことにより、塵埃の侵入や悪戯による異物の詰め込みなどを防ぐことができる。
【００２４】
なお、上記実施の形態の説明では、スイッチ７としてスライドスイッチを用いたが、これに限定されるものではなく、例えばトグルスイッチ、プッシュ式スイッチなどを用いても同様の効果が得られる。また、操作キー８は板状に形成したものを用いたが、特に板状に限定されるものではなく、さらに係合部８１の形状なども実施の形態に限定されないことは言うまでもない。要するに挿入部６２から挿入してスイッチ７の操作部材７１を操作できるものであればよい。また、挿入部６２は、フェースプレート６の厚みを利用してフェースプレート６に凹設形成したが、フェースプレート６の厚みが薄い場合は、例えばボックス４の開口部２側に凹部を設けてその凹部を操作キー８の挿入部としてもよい。その場合には正面から見えないようにフェースプレート６の端部で挿入部を隠すように構成すればよい。
【００２５】
更に、実施の形態３では、フェースプレート６に２つの貫通孔からなる表示窓を設けると共に、その背面部に色分けした表示部材７３が操作部材７１に連動して移動するように設け、表示部材７３の着色部分で運転・休止を表示するようにしたが、フェースプレート６に設ける表示窓を１つとし、表示部材７３に「運転」と「休止」の文字を印字して、操作部材７１がＯＮ側に移動されたときに該表示窓に「運転」の文字が現れ、ＯＦＦ側に移動されたときに「休止」の文字が現れるように構成してもよい。また、表示部材７３は操作部材７１と一体的に構成した例を示したが、例えばリンク機構を用いて表示部材７３及び表示窓（図示省略）を操作部材７１から離れた位置に設け、スイッチと連動させて表示するようにしても良い。
【図面の簡単な説明】
【００２６】
【図１】この発明の実施の形態１によるエレベータ用運転操作盤スイッチＯＮ時の要部を示す正面図である。
【図２】図１の略ＩＩ−ＩＩ線における矢視断面図である。
【図３】図１の実施の形態１に用いる操作キーを示す斜視図である。
【図４】図３に示す操作キーを挿入した状態を示す正面図である。
【図５】図３に示す操作キーを挿入してスイッチをＯＦＦに切替えた状態を示す正面図である。
【図６】この発明の実施の形態２によるエレベータ用運転操作盤のスイッチがＯＮされた状態（ａ）及びＯＦＦされた状態（ｂ）を透視して示す要部正面図である。
【図７】図６に示すスライド形式のスイッチとフェースプレートの位置関係を示す要部側面断面図である。
【図８】この発明の実施の形態３によるエレベータ用運転操作盤のスイッチをＯＮにしたとき（ａ）、及びＯＦＦにしたとき（ｂ）の状態を透視して示す要部正面図である。
【図９】図８（ａ）のＩＸａ−ＩＸａ線における矢視断面図（ａ）、図８（ａ）のＩＸｂ−ＩＸｂ線における矢視断面図（ｂ）、及び図８（ａ）のＩＸｃ−ＩＸｃ線における矢視断面図（ｃ）である。
【図１０】図８に示すスイッチがＯＮのときの正面図（ａ）、及びその底面図（ｂ）である。
【図１１】スイッチ位置が「運転」（ＯＮ）のとき（ａ）、及び「休止」（ＯＦＦ）のとき（ｂ）、のフェースプレート部の外観を示す正面図である。
【符号の説明】
【００２７】
１  エレベータ用運転操作盤、  ２  開口部、  ３  収容部、  ４  ボックス、  ５  呼びボタン、  ６  フェースプレート、  ６１  下端面、  ６２  挿入部、  ６２ａ、６２ｂ  角部、  ６４  表示窓（休止表示窓）、  ６４ａ  「休止」の文字、  ６５  表示窓（運転表示窓）、  ６５ａ  「運転」の文字、  ７  スイッチ、  ７１  操作部材、  ７１ａ  左側の斜面部、  ７１ｂ  右側の斜面部、  ７２  開口部、  ７３  表示部材、  ７３ａ  第１の領域、  ７３ｂ  第２の領域、  ８  操作キー、  ８１  係合部、  ８２  当接部、  ８３  「運転」の文字、  ８４  「休止」の文字、  ９  ねじ、  １０  リード線、  １１  コネクタ、  １２  乗場の壁、  Ｄ  操作部材７１の動作範囲の中心線。
【図１】
2006225107.tif 000003
【図２】
2006225107.tif 000004
【図３】
2006225107.tif 000005
【図４】
2006225107.tif 000006
【図５】
2006225107.tif 000007
【図６】
2006225107.tif 000008
【図７】
2006225107.tif 000009
【図８】
2006225107.tif 000010
【図９】
2006225107.tif 000011
【図１０】
2006225107.tif 000012
【図１１】
2006225107.tif 000013